(57)【要約】【課題】  グレーチング蓋を嵌め込むため蓋受け枠が雨水の透水経路を遮断するのを防止し、透水路面層から側溝本体の内部に至る雨水の透水経路を確保し、グレーチング蓋の設置部分においても確実に雨水を排水することができる透水性側溝におけるグレーチング蓋の蓋受け構造の提供。【解決手段】  左右の蓋受け段差面２，２の間に載置された蓋受け枠６にグレーチング蓋５が嵌め込まれ、蓋受け枠は、前後フレーム６０，６０と仕切壁フレーム６１を備え、仕切壁フレーム６１は前後仕切り壁６１ａ，６１ａと、この前後仕切り壁間に連結された左右仕切壁６１ｂ，６１ｂとで方形フレームに形成され、左右仕切壁と左右の蓋受け段差面との間に通水空隙Ｓ，Ｓが形成され、この通水空隙を通して透水路面層と側溝本体の内部が連通するように形成されている。【選択図】  図１
0003132600.tif 000002
【実用新案登録請求の範囲】
【請求項１】
側溝本体（１）の上面が透水路面層（３）によって覆われている透水性側溝において、
側溝本体（１）に形成された左右の蓋受け段差面（２），（２）の間に蓋受け枠（６）が載置され、この蓋受け枠（６）の内部にグレーチング蓋（５）が嵌め込まれ、前記蓋受け枠（６）の周囲に透水路面層（３）が形成され、
前記蓋受け枠（６）は、左右の蓋受け段差面（２），（２）間に架設される前後フレーム（６０），（６０）と、前記透水路面層（３）との仕切壁を形成する仕切壁フレーム（６１）を備え、
この仕切壁フレーム（６１）は、前後フレーム（６０），（６０）上に取り付けられた前後仕切り壁（６１ａ），（６１ａ）と、この前後仕切り壁（６１ａ），（６１ａ）間に連結された左右仕切壁（６１ｂ），（６１ｂ）とで方形フレームに形成され、
前記左右仕切壁（６１ｂ），（６１ｂ）と前記左右の蓋受け段差面（２），（２）との間に通水空隙（Ｓ），（Ｓ）が形成され、この通水空隙（Ｓ）を通して前記左右仕切壁（６１ｂ）によって仕切られた透水路面層（３）と側溝本体（１）の内部が連通するように形成されていることを特徴とするグレーチング蓋の蓋受け構造。
【考案の詳細な説明】
【技術分野】
【０００１】
本考案は、雨水の排水機能を有する透水路面層によって側溝本体の上面が覆われている透水性側溝において、この透水性側溝の途中に設置するグレーチング蓋の蓋受け構造に関する。
【背景技術】
【０００２】
従来、側溝本体の上面を雨水の排水機能を有する透水路面層によって覆うようにした透水性側溝が知られている（特許文献１、特許文献２参照）。
この透水性側溝は、複数の山形型材を通水口となる間隙を保持して連結させることで蓋部材を形成させ、この蓋部材を側溝本体に形成した左右の蓋受け段差面の間に載置させ、この蓋部材の上に透水路面層を形成した構造になっている。
従って、雨水は透水路面層を透水し、さらに蓋部材を形成する山形型材間の間隙を通して側溝本体の内部に流入するもので、これにより雨水を効率よく側溝に排水させることができる。
【０００３】
このような透水性側溝において、側溝本体の内部を点検し管理するために、その途中にグレーチング蓋を設置するようになっている。
この場合、側溝本体に形成された左右の蓋受け段差面の間に蓋受け枠が載置され、この蓋受け枠の内部にグレーチング蓋が嵌め込まれ、前記蓋受け枠の周囲に透水路面層が形成される。
このように、蓋受け枠を設けると、この蓋受け枠が周囲の透水路面層との仕切壁になってしまい、透水路面層から側溝本体の内部に至る雨水の透水経路が蓋受け枠によって遮断され、このグレーチング蓋の設置部分では雨水の排水ができなくなるという問題が生じる。
【特許文献１】特許公開２００５−２３７７６号公報
【特許文献２】特許公開２００５−１７１５９７号公報
【考案の開示】
【考案が解決しようとする課題】
【０００４】
本考案は、グレーチング蓋を嵌め込むための蓋受け枠が雨水の透水経路を遮断するのを防止し、透水路面層から側溝本体の内部に至る雨水の透水経路を確保し、グレーチング蓋の設置部分においても確実に雨水を排水することができるようにした透水性側溝におけるグレーチング蓋の蓋受け構造を提供することを課題としている。
【課題を解決するための手段】
【０００５】
上記の課題を解決するために、本考案の透水性側溝におけるグレーチング蓋の蓋受け構造は、
側溝本体（１）の上面が透水路面層（３）によって覆われている透水性側溝において、
側溝本体（１）に形成された左右の蓋受け段差面（２），（２）の間に蓋受け枠（６）が載置され、この蓋受け枠（６）の内部にグレーチング蓋（５）が嵌め込まれ、前記蓋受け枠（６）の周囲に透水路面層（３）が形成され、
前記蓋受け枠（６）は、左右の蓋受け段差面（２），（２）間に架設される前後フレーム（６０），（６０）と、前記透水路面層（３）との仕切壁を形成する仕切壁フレーム（６１）を備え、
この仕切壁フレーム（６１）は、前後フレーム（６０），（６０）上に取り付けられた前後仕切り壁（６１ａ），（６１ａ）と、この前後仕切り壁（６１ａ），（６１ａ）間に連結された左右仕切壁（６１ｂ），（６１ｂ）とで方形フレームに形成され、
前記左右仕切壁（６１ｂ），（６１ｂ）と前記左右の蓋受け段差面（２），（２）との間に通水空隙（Ｓ），（Ｓ）が形成され、この通水空隙（Ｓ）を通して前記左右仕切壁（６１ｂ）によって仕切られた透水路面層（３）と側溝本体（１）の内部が連通するように形成されている構成とした。
なお、本考案において、「左右」とは側溝の幅方向（図１および図３において紙面左右方向）を言い、「前後」とは側溝の長さ方向（図３において紙面上下方向）を言う。
【考案の効果】
【０００６】
本考案の蓋受け構造は、仕切壁フレームを形成する左右仕切壁と左右の蓋受け段差面との間に通水空隙が形成されている構成に特徴がある。
この通水空隙によって透水路面層から側溝本体の内部に至る雨水の透水経路を確保でき、グレーチング蓋を嵌め込むための蓋受け枠が雨水の透水経路を遮断するといったことがなく、グレーチング蓋の設置部分においても確実に雨水を排水することができる。
【考案を実施するための最良の形態】
【０００７】
以下、本考案の実施の形態を図面に示す実施例に基づいて説明する。
図１は本考案の透水性側溝におけるグレーチング蓋の蓋受け構造を示す側溝の幅方向断面図、図２はその蓋受け構造を示す側溝の長さ方向断面図、図３はその蓋受け構造を示す切欠平面図である。
【０００８】
図において、１は側溝本体で、現場打ち施工によって形成され、上面が開口し、底部１１と左右の側壁１２，１２により内部が樋状の溝水路１３に形成された略Ｕ字状に形成され、前記両側壁１２，１２の内面上端部分に左右の蓋受け段差面２，２が形成されている。
なお、側溝本体１としてコンクリート２次製品を用いることができる。
【０００９】
そして、前記側溝本体１の上面が透水路面層３により覆われることで、透水性側溝Ａが形成されている。
この実施例では、複数の山形型材４０を通水口となる間隙４１を保持して細棒４２により連結させることで蓋部材４を形成させ、この蓋部材４を側溝本体１に形成した左右の蓋受け段差面２，２の間に載置させ、この蓋部材４の上に透水路面層３を形成した透水性側溝Ａに形成されている。
これにより、雨水は透水路面層３を透水し、さらに蓋部材４を形成する山形型材４０，４０間の間隙４１を通して側溝本体１の溝水路１３に流入する。
【００１０】
このような透水性側溝Ａにおいて、側溝本体１の内部を点検し管理するために、その途中にグレーチング蓋５を設置させるもので、この場合、側溝本体１の左右の蓋受け段差面２，２の間に蓋受け枠６を載置させ、この蓋受け枠６の内部にグレーチング蓋５を嵌め込み、かつ前記蓋受け枠６の周囲に透水路面層３を形成させている。
【００１１】
なお、実施例では、蓋受け枠６を載置する場所において、左右の側壁１２，１２の上端面を左右の蓋受け段差面２，２と均一面になるように側壁１２に切欠部１２ａを形成して側壁１２の幅全体を蓋受け段差面２として形成させており、このようにして側壁１２の幅全体を蓋受け段差面２に形成したものについても本考案の蓋受け段差面２に含める。
【００１２】
前記蓋受け枠６は、左右の蓋受け段差面２，２間に架設される前後フレーム６０，６０と、前記透水路面層３との仕切壁を形成する仕切壁フレーム６１を備えている。
前記仕切壁フレーム６１は、前後フレーム６０，６０上に取り付けられた前後仕切壁６１ａ，６１ａと、この前後仕切り壁６１ａ，６１ａ間に取り付けられた左右仕切壁６１ｂ，６１ｂとで方形フレームに形成されている。
前記前後フレーム６０，６０には左右両端部にブラケット６０ａ，６０ａが突設され、このブラケット６０ａ，６０ａを側溝本体１の蓋受け段差面２，２に埋設したアンカーボルト９０とナット９１によって締結することにより蓋受け段差面上に固定されている。
なお、この前後フレーム６０，６０の固定手段としては、前記したアンカーボルト９０とナット９１に限られるものではなく、適宜の手段を用いることができる。
【００１３】
そして、前記左右仕切壁６１ｂ，６１ｂと前記左右の蓋受け段差面２，２との間に通水空隙Ｓ，Ｓが形成され、この通水空隙Ｓ，Ｓを通して前記左右仕切壁６１ｂ，６１ｂによって仕切られた透水路面層３，３と側溝本体１の内部（溝水路１３）が連通するように形成されている。
【００１４】
このように、仕切壁フレーム６１を形成する左右仕切壁６１ｂ，６１ｂと左右の蓋受け段差面２，２との間に通水空隙Ｓ，Ｓを形成させているので、この通水空隙Ｓ，Ｓによって透水路面層３，３から側溝本体１の溝水路１３に至る雨水の透水経路を確保することができる。
【００１５】
前記グレーチング蓋５は、いわゆる水落ち蓋であり、外周に設けた方形外枠５０の内部に前後方向の桟フレーム５１と左右方向の連結フレーム５２で多数のスリット孔５３が形成され、その前後端部を前記前後フレーム６０，６０間に架設する状態で、前記蓋受け枠６の仕切壁フレーム６１内に着脱可能に嵌め込まれる。
【００１６】
次に、図４は本考案の他の実施例を示す断面図である。
この実施例は、本考案に係る透水性側溝Ａを、前記特許文献１（特開２００５−２３７７６号公報）に示したような従来構造の通水性舗装路Ｂの路肩部分に設置した例で、下地層（不透水層）９１の上に通水性表層９０が形成された通水性舗装路Ｂの路肩部に本案透水性側溝Ａが設置され、この透水性側溝Ｓの透水路面層３と前記通水性舗装路Ｂの通水性表層９０とが同時施工で一体に連続して形成されている。
なお、上記図４では透水性側溝Ａの一側（画面右側）を通水性舗装路Ｂの通水性表層９０に連続させ、他側（画面左側）に縁石９５を設置した施工例を示したが、これに限らず、透水性側溝Ａの左右両側を通水性舗装路Ｂの通水性表層に連続させるように施工することもできる。
【００１７】
このように本案透水性側溝Ａの透水路面層３を通水性舗装路Ｂの通水性表層９０に連続させるように施工することで、通水性舗装路Ｂ上の雨水を通水性表層９０に透水させたのち、この通水性表層９０から引き続き連続して透水路面層３に流入させることができるもので、この場合、グレーチング蓋５の部分においても前記と同様に通水空隙Ｓ，Ｓによって透水路面層３，３から側溝本体１の溝水路１３に至る雨水の透水経路を確保することができる。
【図面の簡単な説明】
【００１８】
【図１】本考案の透水性側溝におけるグレーチング蓋の蓋受け構造を示す側溝の幅方向断面図である。
【図２】その蓋受け構造を示す側溝の長さ方向断面図である。
【図３】その蓋受け構造を示す切欠平面図である。
【図４】本考案の他の実施例を示す断面図である。
【符号の説明】
【００１９】
１  側溝本体
２  蓋受け段差面
３  透水路面層
５  グレーチング蓋
６  蓋受け枠
６０  前記前後フレーム
６１  仕切壁フレーム
６１ａ  前後仕切壁
６１ｂ  左右仕切壁
Ａ  透水性側溝
Ｓ  通水空隙
【図１】
0003132600.tif 000003
【図２】
0003132600.tif 000004
【図３】
0003132600.tif 000005
【図４】
0003132600.tif 000006